(57)【要約】      （修正有）【課題】料理などの食べ物を盛り付けする為に浅い底部と底部の周囲に縁部を備えた外観が竹製のようにみせたザル状の樹脂製器を提供する。【解決手段】底部１の表面は竹から成る複数本の細い帯状バー３ａ、３ｂ、３ｃ、４を横と縦に編み込んだ組織形態にすると共に、編み込まれた帯状バーの間には底まで貫通する隙間７を介在し、縁部２の表面は竹から成る細い帯状バー６を巻き付けた組織形態に見えるようにし、また底部の一部を切欠いて縁部との間に開口５を形成し、さらに底部の底面には脚部を設ける。【選択図】図１
0003197387.tif 000002
【実用新案登録請求の範囲】
【請求項１】
料理などの食べ物を盛り付けする為の浅い底部と底部の周囲に縁部を備えたザル状の樹脂製器において、上記底部の表面は複数本の細いバーを編み込んだ組織形態にすると共に、編み込まれたバーの間には底まで貫通する隙間を介在し、上記縁部の表面は細いバーを巻き付けた組織形態に見えるようにし、そして上記底部の一部を切欠いて縁部との間に開口を形成し、さらに底部底面には脚部を設けたことを特徴とする竹製にみせる樹脂製器。
【請求項２】
上記編組織として、３本１組とした横バーを一定間隔で配置し、この横バーに対して複数本の縦バーを互いに隙間を残して編み込んだように見える形態とした請求項１記載の竹製にみせる樹脂製器。
【考案の詳細な説明】
【技術分野】
【０００１】
本考案はその外観が竹製であるかのようにみせた、樹脂製の器に関するものである。
【背景技術】
【０００２】
料理などの食べ物を入れる容器（器）には色々あり、料理の種類によって盛付けされる器の形態もさまざまである。材質によって区分するならば、陶器製、金属製、樹脂製などがあり、中には竹製の器も知られている。例えば、ソバを盛る場合に、細い竹バーを編んで構成した竹製ザルが多用されている。
【０００３】
ソバのメニーの１つにザルソバがあり、このザルソバ用の器は、容器本体の上部に竹製のスノコを上げ底型式で載置した構造としている。ソバを盛付けするに際して、このような竹製の器が適しているのであろうし、また器の底には水切りできるように、隙間（穴）がある方が好ましい。すなわち、器の底に水が溜まると、ソバは伸びてしまい、その分だけコシが失われる。
【０００４】
実開平７−１６７４５号に係る「竹製容器」は、生竹のエキスを料理の素材に移行させ、料理に自然の風味を添加させると共に、容器中の料理が客には見えないようにした竹製容器である。
そこで、一端に節を有する適宜長の生竹筒の両側の適宜箇所に、竹筒の壁を貫通横断する切れ目を入れ、切れ目の一部を若干節部まで食い込ませる。容器入口部の切れ目上部に位置する容器壁を押し上げると節部で分割され、容器中の料理が現われるようにしている。
【０００５】
ところで、上記実開平７−１６７４５号に係る「竹製容器」や、ザルソバ用の器を構成するスノコのような単純なものであれば、細い竹バーを紐で編むことで比較的簡単に作ることは可能であるが、形状が複雑になると竹製の器を製作することは容易でない。しかも、最近ではこのような器を作ることが出来る職人もいなくなっている。そこで、近年では外観が竹製のように見える樹脂製の器が主流である。
【０００６】
実用新案登録第３０４９７４２号に係る「竹を象った食物用容器」は、竹筒を縦方向に二つ割りした形状を成す上器と下器との組み合わせて構成する樹脂製の食べ物用容器であって、上器は竹筒の外側面に凹部を形成した形状とし、下器は竹筒の内側を凹部とした形状で、上下器が互いに組み合わせることが出来るように上器の下面両サイドには下器の前縁片と後縁片の内面に係止する嵌合突片を形成している。
【特許文献１】実開平７−１６７４５号に係る「竹製容器」
【特許文献２】実用新案登録第３０４９７４２号に係る「竹を象った食物用容器」
【考案の開示】
【考案が解決しようとする課題】
【０００７】
このように、外観上では竹製の器に見えるように構成した樹脂製の器は色々知られている。本考案はこの種の器であるが、まるで竹を材料として製作したように見え、底には水を通す隙間を形成すると共に、テーブルに載置した際には安定することが出来る竹製にみせた樹脂製器を提供する。
【課題を解決するための手段】
【０００８】
本考案に係る器は樹脂製であるが、外観上は竹を材料として製作したように見える構造と成っている。器は滑らかな凹状に湾曲した底部を有し、該底部の外周には縁部を設けている。そして、底部はその一部が切欠かれて縁部との間に開口を有しており、本考案の器の全体形状は、凹状に湾曲した底部と縁部からなる、一種のザルである。
【０００９】
ところで、底部は竹の細いバーを編み込んだ形態として成形し、縁部は竹の細いバーを巻き付けて形成した形態として成形している。そして、底部には細いバーを編み込んだ場合と同じ形態で成形する共に、編み込んだバーの間には貫通する隙間（穴）を設けている。また、底部底面にはテーブル上で支えられる脚部を複数個所に突出して設けている。
【考案の効果】
【００１０】
本考案の器は樹脂製であるが、その外観は竹の細いバーを編み込んで製作したように構成している。したがって、実際の竹を材料として製作する場合に比べて格段に安くなり、また、樹脂の成形品である為に強度は高くて形状・寸法は均一化されてバラツキはなく、しかも耐久性は十分である。そして、底部には複数個所に小さい隙間が設けられており、水分を含んだ食べ物（例えば、ソバ）を盛り付けした場合に底部に水が溜まることはなく、水切りを行うことが出来る。
【００１１】
また、底部の底面には脚部を設けており、底部が凹状に湾曲した形状としても、該脚部がテーブル面に接地することで、ガタ付くことなく安定して載置される。
一方、底部の一部が切欠かれて縁部との間に開口を形成している為に、この開口に手を入れて縁部を握ることで持ち運びが簡単であると共に、使用しない場合にはこの開口に紐を通して複数枚の器を同時に吊り下げることも出来る。
【図面の簡単な説明】
【００１２】
【図１】本考案に係る竹製にみせる樹脂製器の平面図。
【図２】本考案に係る竹製にみせる樹脂製器の底面図。
【図３】本考案に係る竹製にみせる樹脂製器の正面図。
【図４】図１のＡ−Ａ断面拡大図。
【図５】図１のＢ−Ｂ断面拡大図。
【考案を実施するための形態】
【００１３】
図１〜図３は本考案に係る竹製にみせる樹脂製器を示す実施例であり、図１は平面図、図２は底面図、図３は正面図をそれぞれ表している。該器は底部１と縁部２を有し、底部１は凹状に湾曲し、この凹状底部１の外周に上記縁部２が設けられ、その全体形状は樹脂を射出成形した一種のザルである。
ところで、底部１はその表面を竹製であるかのように見せる為に、複数本の帯状バーを編み込んだ形態としている。
【００１４】
すなわち、複数本の細い横バー３，３・・・、と縦バー４，４・・・が交互に編み込まれたように成形されている。３本の横バー３ａ，３ｂ，３ｃが１組として一定間隔で配置され、この１組の横バー３ａ，３ｂ，３ｃ・・・に縦バー４，４・・・が交互に編み込まれているような形態としている。
そして、該底部１の外形は楕円形をしているが、左側の一部は切欠かれている。
【００１５】
上記底部１の周りには縁部２が設けられ、該縁部２も竹の細い帯状バー６が巻き付いて構成している形態と成っている。縁部２の形状は楕円形としているが、底部１を切欠いたことで、底部１との間に開口５を有している。
ところで、上記縦バー４，４・・・は１組の横バー３ａ，３ｂ，３ｃ・・・に交互に編み込まれた形態であるが、隣り合う縦バー４，４・・・との間には僅かな隙間７，７・・・が介在している。
【００１６】
底面を表している図２から明らかなように、１組の横バー３ａ，３ｂ，３ｃ・・・に沿って、縦バー４，４・・・間に介在する隙間７，７・・・が配列している。この隙間７，７・・・は表面から底面に貫通した穴であり、その為に、底部１の表面に水が溜まることはない。
また、底部１の底面は上記隙間７，７・・・は形成しているが、滑らかな凸状曲面とし、図１の表面のように竹の帯状バー、すなわち横バー３，３・・・及び縦バー４，４・・・が編み込まれた形態とは成っていない。
【００１７】
図４は図１における縦バー４を設けている位置（Ａ−Ａ断面）での拡大図を示している。３本の横バー３ａ，３ｂ，３ｃが１組として４か所に設けられ、この間に縦バー４，４・・が連結している。このように樹脂を射出成形した底部１であり、個々の横バー３ａ，３ｂ，３ｃ・・・、及び縦バー４，４・・・の表面は滑らかな凸状面を成しており、底部表面は細い帯状バーを編み込んだような組織に見える。
【００１８】
図５は図１におけるＢ−Ｂ断面拡大図であり、縦バー４，４・・・の間に介在する隙間７，７・・・の位置の断面である。したがって、３本の横バー３ａ，３ｂ，３ｃは１組と成り、間に隙間７，７・・・を介在して設けられている。
そして、縁部２の断面は円形ではなく、表面９のみが滑らかな凸状曲面を成しており、しかも細い帯状バー６が巻き付いて構成しているような外観と成っている。
【００１９】
ところで、底部１の両側底面には脚部８，８が突出している。該脚部８，８は板状を成し、底部１の凸状底面に対して下方へ突出することで、該器をテーブル上に置く場合、両脚部８，８を介することでガタ付くことなく安定する。
ここで、脚部８，８の形態は同図に示す場合に限定するものでなく、また、脚８の個数に関しても自由である。
【００２０】
器は竹製に見えるように薄緑色、又は黄色に着色されている。勿論、他の色にすることも自由であり、また底部１及び縁部２の細い帯状バーの編組織巻組織の形態に関しても同図に示す場合に限定しない。図１は本考案に係る竹製にみせる樹脂製器の１具体例に過ぎない。
器の底部１は浅いザルのような形状であるが、より深い底部１とすることも可能である。しかも、外形形状に関しても楕円形に限るものではない。
【符号の説明】
【００２１】
１   底部
２   縁部
３   横バー
４   縦バー
５   開口
６   帯状バー
７   隙間
８   脚部
【図１】
0003197387.tif 000003
【図２】
0003197387.tif 000004
【図３】
0003197387.tif 000005
【図４】
0003197387.tif 000006
【図５】
0003197387.tif 000007